(57)【要約】【課題】人手を煩わすことなく複数の位置の音圧レベルを検出できるようにする。【解決手段】アンプ５０はマイクロホン３０に入力された音声を増幅して帯域フィルタ６０−１〜３に出力する。帯域フィルタ６０−１〜３は、所定の周波数帯域の音声信号のみをレベル検出回路７０−１〜３へ出力する。レベル検出回路７０−１〜３は、入力された音声信号から音圧レベルを検知し、検知したレベルを表すレベル信号を出力する。ＬＥＤ駆動回路８０−１〜３は、入力されるレベル信号に応じてＬＥＤを駆動し、点灯させるＬＥＤの数を異ならせる。【選択図】図２
2007142966.tif 000002
【特許請求の範囲】
【請求項１】
受信した音波を電気信号に変換して出力する収音手段と、
前記収音手段から出力された電気信号のうち、所定周波数帯域に属する信号のレベルを検出するレベル検出手段と、
可視光を発生する発光手段と、
前記レベル検出手段が検出したレベルに基づいて前記発光手段の発光態様を制御する発光制御手段と
を有する音圧測定装置。
【請求項２】
ステージに対向して配置される観客席において、
受信した音波を電気信号に変換して出力する収音手段と、
前記収音手段から出力された電気信号のうち、所定周波数帯域に属する信号のレベルを検出するレベル検出手段と、
可視光を発生する発光手段と、
前記レベル検出手段が検出したレベルに基づいて前記発光手段の発光態様を制御する発光制御手段とを具備し、
前記発光手段は、前記観客席の背もたれの所定位置に露出して配置されること
を特徴とする観客席。
【請求項３】
前記発光手段は複数の発光素子を具備し、前記発光制御手段は、前記発光態様の制御として前記発光素子の発光数を制御することを特徴とする請求項２記載の観客席。
【請求項４】
前記発光手段は複数の発光素子を具備し、前記発光制御手段は、前記発光態様の制御として前記各発光素子の発光量を制御することを特徴とする請求項２記載の観客席。
【請求項５】
請求項２に記載の観客席が複数配置される劇場であって、
前記複数の観客席を上方から撮影して観客席の映像を出力する撮影手段と、
前記撮影手段が撮影した映像を表示するモニタ手段と
を具備することを特徴とする劇場。
【発明の詳細な説明】
【技術分野】
【０００１】
本発明は、音場における音圧分布を検知する技術に関する。
【背景技術】
【０００２】
アリーナやコンサートホール等の音場において音響設備を利用する際には、複数の客席で音圧レベル測定を行い、この測定結果に基づいて各客席に適切に音が届くようにスピーカ位置の調整等の各種セッティングが行われる。客席における音圧レベルを測定する際には、例えば、特許文献１に開示されているように、複数の周波数の音を出力し、この出力された音をマイクロホンで収音して周波数毎に音圧レベルを測定する。そして、この測定を複数の客席で行い、各客席での測定結果に基づいて、各客席に適切に音が届くようにスピーカ位置の調整等の各種セッティングが行われる。
【特許文献１】特開平１１−６９４８２号公報
【発明の開示】
【発明が解決しようとする課題】
【０００３】
ところで、複数の客席で音圧レベルを測定するためには、音を収音するマイクロホンを人手で複数の客席に移動させるといった作業が必要となる。アリーナやコンサートホール等の広い音場においては、観客席が広範にわたるため、複数の客席で音圧レベルを測定する際には、マイクロホンの移動が非常に面倒となり、測定に多大な時間を要してしまうといった問題が生じてしまう。
【０００４】
本発明は、上述した背景の下になされたものであり、人手を煩わすことなく複数の位置の音圧レベルを検出できるようにする技術を提供することを目的とする。
【課題を解決するための手段】
【０００５】
上述した課題を解決するために本発明は、受信した音波を電気信号に変換して出力する収音手段と、前記収音手段から出力された電気信号のうち、所定周波数帯域に属する信号のレベルを検出するレベル検出手段と、可視光を発生する発光手段と、前記レベル検出手段が検出したレベルに基づいて前記発光手段の発光態様を制御する発光制御手段とを有する音圧測定装置を提供する。
【０００６】
また、上述した課題を解決するために本発明は、ステージに対向して配置される観客席において、受信した音波を電気信号に変換して出力する収音手段と、前記収音手段から出力された電気信号のうち、所定周波数帯域に属する信号のレベルを検出するレベル検出手段と、可視光を発生する発光手段と、前記レベル検出手段が検出したレベルに基づいて前記発光手段の発光態様を制御する発光制御手段とを具備し、前記発光手段は、前記観客席の背もたれの所定位置に露出して配置されることを特徴とする観客席を提供する。
【０００７】
この態様においては、前記発光手段は複数の発光素子を具備し、前記発光制御手段は、前記発光態様の制御として前記発光素子の発光数を制御するようにしてもよい。また、前記発光手段は複数の発光素子を具備し、前記発光制御手段は、前記発光態様の制御として前記各発光素子の発光量を制御するようにしてもよい。
【０００８】
また、上記観客席が複数配置される劇場であって、前記複数の観客席を上方から撮影して観客席の映像を出力する撮影手段と、前記撮影手段が撮影した映像を表示するモニタ手段とを具備することを特徴とする劇場を提供する。
【発明の効果】
【０００９】
本発明によれば、人手を煩わすことなく複数の位置の音圧レベルを検出できる。
【発明を実施するための最良の形態】
【００１０】
以下、図面を参照して本発明の実施形態について説明する。
［構成］
図１は、本発明の実施形態に係る音圧測定装置１の外観図であり、図２は、音圧測定装置１のハードウェア構成を示したブロック図である。図１に示したように、この音圧測定装置１の筐体１０の表面には、光エネルギーを電気エネルギーに変換する太陽電池２０と、マイクロホン３０と、チップ型の高輝度ＬＥＤ（Light-Emitting Diode）４１−１〜４、ＬＥＤ４２−１〜４、ＬＥＤ４３−１〜４が配設されている。また、音圧測定装置１は、筐体１０の内部に、アンプ５０、帯域フィルタ６０−１〜３、レベル検出回路７０−１〜３、ＬＥＤ駆動回路８０−１〜３、二次電池９０を備えている。
このように各ブロックは筐体１０に纏められているため、音圧測定装置１は数ｃｍ四方以下の小さく軽いものとなっている。また、音圧測定装置１において、マイクロホン３０が配設されている面と反対側の面には、粘着シールが貼着されており、音圧測定装置１を観客席の椅子に貼着させることが可能となっている。
なお、本実施形態においては、ＬＥＤ４１−１〜４は赤、ＬＥＤ４２−１〜４は緑、ＬＥＤ４３−１〜４は青というように、発光色を異ならせてある。
【００１１】
図２に示したように、二次電池９０は、太陽電池２０に接続されており、太陽電池で得られた電気エネルギーを蓄え、蓄えた電気エネルギーを音圧測定装置１の各部に供給する。
アンプ５０は、マイクロホン３０に接続されており、マイクロホン３０から出力される音声信号を増幅して出力する。アンプ５０で増幅された音声信号は、アンプ５０に接続されている帯域フィルタ６０−１〜３に入力される。
帯域フィルタ６０−１〜３は、例えば、バンドパスフィルタのように特定の周波数の音声信号のみを通すフィルタである。帯域フィルタ６０−１〜３は、例えば、帯域フィルタ６０−１は低音の音声信号、帯域フィルタ６０−２は中音の音声信号、帯域フィルタ６０−３は高音の音声信号というように、通過させる信号の周波数帯域が各々異ならせてある。帯域フィルタ６０−１〜３を通過した音声信号は、同じ枝番のレベル検出回路に入力される。
【００１２】
レベル検出回路７０−１〜３は、帯域フィルタ６０−１〜３を通過した音声信号の音圧レベルを検知する回路である。レベル検出回路７０−１〜３は、入力された音声信号から音圧レベルを検知し、検知した音圧レベルを表すレベル信号をＬＥＤ駆動回路８０−１〜３へ出力する。
ＬＥＤ駆動回路８０−１〜３は、筐体１０に配設されているＬＥＤを点灯させる回路であり、ＬＥＤ駆動回路８０−１はＬＥＤ４１−１〜４に接続され、ＬＥＤ駆動回路８０−２はＬＥＤ４２−１〜４に接続され、ＬＥＤ駆動回路８０−３はＬＥＤ４３−１〜４に接続されている。ＬＥＤ駆動回路８０−１〜３は、各ＬＥＤに流す電流をレベル検出回路から出力されるレベル信号に応じて制御し、各ＬＥＤの発光を制御する。
【００１３】
［動作］
次に本実施形態に係る音圧測定装置１の動作について説明する。なお、以下の説明においては、コンサートホールの客席の音圧測定を行う場合を想定して動作の説明を行う。
【００１４】
図３は、コンサートホールの平面図である。図３に示したように、このコンサートホールにおいては、椅子２が所定の配列で配置され、ステージの左右にはスピーカＳＰが配置されている。各椅子２の背もたれの上部には音圧測定装置１が配置されている。なお、音圧測定装置１は、椅子２に対して着脱を自由にできるようにしてもよいし、椅子２に固定するようにしてもよい。
【００１５】
［低音がスピーカＳＰから出力された時の動作］
各椅子２の背もたれの上部に音圧測定装置１が配置された状態で、スピーカＳＰから低音が出力されると、この音が各椅子２に配置された音圧測定装置１のマイクロホン３０に入力される。マイクロホン３０に音が入力されると、入力された低音が音声信号に変換され、この変換された音声信号がアンプ５０で増幅される。そして、アンプ５０で増幅された音声信号は、帯域フィルタ６０−１〜３に入力される。ここで、アンプ５０で増幅された音声信号は低音の音声信号であるため、帯域フィルタ６０−１のみが音声信号を通過させ、他の帯域フィルタ６０−２，３は音声信号を通過させない。
【００１６】
次に、帯域フィルタ６０−１を通過した音声信号は、レベル検出回路７０−１に入力される。レベル検出回路７０−１は、入力された音声信号から音圧レベルを検知し、検知した音圧レベルを表すレベル信号をＬＥＤ駆動回路８０−１へ出力する。ＬＥＤ駆動回路８０−１は、レベル検出回路７０−１から出力されるレベル信号に応じてＬＥＤの発光を制御する。
【００１７】
具体的には、レベル信号が表す音圧レベルに応じてＬＥＤの発光数を制御する。例えば、音圧レベルの値が所定のレベルを表す第１閾値未満である場合には、ＬＥＤ４１−１〜４には電流を流さず、全てのＬＥＤを点灯させない。また、音圧レベルの値が第１閾値以上であり、且つ第２閾値未満である場合には（第２閾値＞第１閾値）、ＬＥＤ４１−１にのみ電流を流し、ＬＥＤ４１−１を点灯させる。また、音圧レベルの値が第２閾値以上であり、且つ第３閾値未満である場合には（第３閾値＞第２閾値）、ＬＥＤ４１−１，２にのみ電流を流し、ＬＥＤ４１−１，２を点灯させる。また、音圧レベルの値が第３閾値以上であり、且つ第４閾値未満である場合には（第４閾値＞第３閾値）、ＬＥＤ４１−１〜３にのみ電流を流し、ＬＥＤ４１−１〜３を点灯させる。また、音圧レベルの値が第４閾値以上である場合には、ＬＥＤ４１−１〜４に電流を流し、ＬＥＤ４１−１〜４を点灯させる。
【００１８】
これにより、音圧測定装置１においては、入力された低音の音圧レベルに応じて、ＬＥＤ４１−１〜４の発光数が変化する。例えば、ステージ近傍の椅子において到達した音の音圧レベルが高く、音声信号の音圧レベルが第４閾値以上となった場合には、ＬＥＤ４１−１〜４が（４つのＬＥＤが）点灯する。また、ステージから離れた椅子において到達した音の音圧レベルが低く、音声信号の音圧レベルが第２閾値未満である場合には、ＬＥＤ４１−１のみが（一つのＬＥＤのみが）点灯する。
このように、各音圧測定装置１に入力される低音の音圧レベルに応じて、各椅子に配置されている音圧測定装置１のＬＥＤの発光数が異なり、各音圧測定装置１が発する光の明るさが異なることとなる。即ち、各音圧測定装置１が発する光の明るさが、その位置における音圧レベルを表すこととなるため、例えば、ステージやコンサートホールの上方から各椅子を視認して各音圧測定装置１が発する光の明るさの違いを見れば、コンサートホールにおける低音の音圧レベル分布を容易に知ることができる。
【００１９】
［中音または高音がスピーカＳＰから出力された時の動作］
中音または高音が出力された場合の動作も上述の低音が出力された場合と同様である。すなわち、スピーカＳＰから中音が出力されると、出力された中音がマイクロホン３０により音声信号に変換される。この音声信号は、アンプ５０で増幅され、帯域フィルタ６０−１〜３に入力される。ここで、アンプ５０で増幅された音声信号は中音の音声信号であるため、帯域フィルタ６０−２のみが音声信号を通過させ、他の帯域フィルタ６０−１，３は、音声信号を通過させない。
【００２０】
レベル検出回路７０−２は、入力される音声信号から音圧レベルを検知し、検知した音圧レベルを表すレベル信号をＬＥＤ駆動回路８０−２へ出力する。ＬＥＤ駆動回路８０−２は、ＬＥＤ駆動回路８０−１と同様に、入力されるレベル信号に応じてＬＥＤ４２−１〜４２−４の発光を制御する。
【００２１】
また、スピーカＳＰから高音が出力されると、出力された高音がマイクロホン３０により音声信号に変換される。この音声信号は、アンプ５０で増幅され、帯域フィルタ６０−１〜３に入力される。ここで、アンプ５０で増幅された音声信号は高音の音声信号であるため、帯域フィルタ６０−３のみが音声信号を通過させ、他の帯域フィルタ６０−１，２は、音声信号を通過させない。
【００２２】
レベル検出回路７０−３は、入力される音声信号から音圧レベルを検知し、検知した音圧レベルを表すレベル信号をＬＥＤ駆動回路８０−３へ出力する。ＬＥＤ駆動回路８０−３は、ＬＥＤ駆動回路８０−１と同様に、入力されるレベル信号に応じてＬＥＤ４３−１〜４３−４の発光を制御する。
【００２３】
以上の動作により、音圧測定装置１においては、入力された中音または高音の音圧レベルに応じて、ＬＥＤ４２−１〜ＬＥＤ４２−４またはＬＥＤ４３−１〜４の発光数が変化する。したがって、ステージやコンサートホールの上方から各椅子を視認して各音圧測定装置１が発する光の明るさの違いを見れば、コンサートホールにおける高音の音圧レベル分布を容易に知ることができる。
【００２４】
［低音、中音および高音を含む音がスピーカＳＰから出力された時の動作］
スピーカＳＰから低音、中音および高音を含む音が出力されると、出力された音がマイクロホン３０により音声信号に変換される。この音声信号は、アンプ５０で増幅され、帯域フィルタ６０−１〜３に入力される。帯域フィルタ６０−１〜３は、各々対応する周波数帯域に属する音声信号を通過させる。レベル検出回路７０−１〜３は、入力される音声信号から音圧レベルを検知し、検知した音圧レベルを表すレベル信号をＬＥＤ駆動回路８０−１〜３へ出力する。ＬＥＤ駆動回路８０−１〜３は、入力されるレベル信号に応じてＬＥＤの発光を制御する。
【００２５】
ここで、各周波数帯域に属する音は、それぞれ壁や天井、床等での反射されたり吸収されたりするが、周波数帯域毎に反射のされかたや吸収のされかたが異なり、また、コンサートホール内の位置によってもその状況は異なる。
例えば、低音の音圧が高く高音の音圧が低い場所の音圧測定装置１においては、赤の光を発するＬＥＤ４１−１〜４の発光数が多く、青の光を発するＬＥＤ４３−１〜４の発光数が少なくなり、低音の音圧が低く、高音の音圧が高い場所の音圧測定装置１は赤の光を発するＬＥＤ４１−１〜４の発光数が少なく、青の光を発するＬＥＤ４３−１〜４の発光数が多くなる。
したがって、ステージあるいはコンサートホール上方から各椅子を視認して赤（ＬＥＤ４１−１〜４）／緑（ＬＥＤ４２−１〜４）／青（ＬＥＤ４３−１〜４）の発光数の違いを見れば、各椅子が置かれている位置における周波数帯域毎の音圧レベルの違いを容易に知ることができる。なお、監視位置が音圧測定装置１から遠い場合は発光数の違いは明るさの違いとして認識されるが、この場合もその光の分布状態からコンサートホール全体の音響特性を視覚的に瞬時に把握することができる。
【００２６】
以上説明したように本実施形態によれば、人手を煩わすことなく、複数の位置の音圧レベルを短時間で容易に知ることができる。
また、椅子の背もたれの上部に音圧測定装置１を取り付けるだけで、音圧分布を知ることができるので、コンサートホールだけでなく、体育館やアリーナ、屋外の野球場やコンサート会場等、椅子が配置される音場であれば、場所を問わず様々な音場の音圧分布を知ることができる。
また、本実施形態では、測定者がマイクロホンを移動させて音圧分布を測定する必要がない。マイクロホンを移動させて音圧分布を測定する場合には、測定者が観客席の間を移動して音圧測定を行うので、測定者の移動が観客の邪魔になるが、本実施形態では、音圧分布の測定を行っても観客の邪魔にならないため、観客が座席にいる状態でも音圧分布の測定を行うことができる。
【００２７】
［変形例］
以上、本発明の実施形態について説明したが、本発明は上述した実施形態に限定されることなく、以下のように他の様々な形態で実施可能である。
【００２８】
上述した実施形態においては、太陽電池は、透明なタイプの太陽電池を使用するようにしてもよく、また、透明なタイプの太陽電池を使用する場合、ＬＥＤの上方に太陽電池を配置するようにしてもよい。このような態様によれば、ＬＥＤと太陽電池とを、筐体１０上で並べて配置しなくとも音圧測定装置１を動作させることができるので、装置の大きさを小さくすることが可能となる。
また、上述した実施形態においては、音圧レベルに応じて発光させられる発光体は、チップ型のＬＥＤに限定されるものではなく、砲弾型や角型等の他の形状であってもよい。
また、各ＬＥＤ駆動回路に一つのＬＥＤを接続し、各ＬＥＤ駆動回路は、検知した音圧レベルに応じて各ＬＥＤに流す電流の量を制御してＬＥＤが発する光の明るさを変えるようにしてもよい。
また、上述した実施形態においては、光を発し、発する光の強さを制御できる発光体であれば、ＬＥＤに替えて他の発光体を使用するようにしてもよい。
また、白色のＬＥＤを配置し、光を透過する色付きのフィルタによって、音圧測定装置１が発する光の色を変えるようにしてもよい。
また、低音、中音、高音の三種の周波数帯ではなく、一つの特定の周波数帯、または三種以上の複数周波数帯の音圧レベルを測定するようにしてもよい。
また、一つのＬＥＤが複数の色の光を発することができる場合には、測定した周波数帯毎に、ＬＥＤが発する光の色を異ならせるようにしてもよい。
【００２９】
図４に示したように、無線または有線の通信インターフェースとなる通信部１１０と、ＬＥＤ駆動回路の動作制御を行う制御部１００とを設け、音圧測定装置１を無線または有線で遠隔制御して、入力される音に応じてＬＥＤを点灯させるモードと、音が入力されてもＬＥＤを点灯させないモードとを切替えるようにしてもよい。
また、複数の音圧測定装置１を遠隔制御する場合には、各音圧測定装置１を一意に識別する識別子を各装置に記憶させ、識別子を指定して音圧測定装置１の動作を制御するようにしてもよい。
また、遠隔制御により音圧測定装置１を制御する場合には、測定する周波数帯を示す帯域データを音圧測定装置１へ送信し、この帯域データを受信した音圧測定装置１においては、制御部１００が帯域フィルタを制御し、受信した帯域データが表す周波数帯の信号を通過させるようにしてもよい。
【００３０】
図５に示したように、コンサートホール２００の客席上方に、客席を撮影するカメラ２１０を設置し、客席の映像をテレビモニタ２２０に表示するようにしてもよい。また、このテレビモニタ２２０を、コンサートホール２００の音響調整を行うモニタルーム２３０に設置するようにしてもよい。このような態様によれば、観客席の音圧分布を確認しながら、コンサートホール２００の音響調整を行うことができる。また、カメラ２１０で撮影し客席の映像を、プロジェクタ２４０によって、ステージ上のスクリーン２５０に映すようにしてもよい。また、カメラ２１０で撮影した客席の映像を、客席にいるスタッフが所持する無線端末２６０に送信し、無線端末２６０で客席の映像を確認して観客席の音圧分布を確認するようにしてもよい。
【００３１】
また、上述した実施形態においては、ＬＥＤ駆動回路は、図６に示したように、音圧レベルの変化に応じて、各ＬＥＤに流す電流の量を変化させるようにしてもよい。ＬＥＤ４１−１〜４を例にして説明すると、レベル信号が表す音圧レベルの値が所定のレベルを表す第１閾値未満である場合には、ＬＥＤ４１−１〜４には電流を流さず、全てのＬＥＤを点灯させない。また、音圧レベルの値が第１閾値以上であり、且つ第２閾値未満である場合には（第２閾値＞第１閾値）、ＬＥＤ４１−２〜４には電流を流さず、ＬＥＤ４１−１に流す電流を音圧レベルに応じて制御する。また、音圧レベルの値が第２閾値以上であり、且つ第３閾値未満である場合には（第３閾値＞第２閾値）、ＬＥＤ４１−１には一定の電流を流し、ＬＥＤ４１−３〜４には電流を流さず、ＬＥＤ４１−２に流す電流を音圧レベルに応じて制御する。また、音圧レベルの値が第３閾値以上であり、且つ第４閾値未満である場合には（第４閾値＞第３閾値）、ＬＥＤ４１−１〜２には一定の電流を流し、ＬＥＤ４１−４には電流を流さず、ＬＥＤ４１−３に流す電流を音圧レベルに応じて制御する。また、音圧レベルの値が第４閾値以上であり、且つ第５閾値未満である場合には（第５閾値＞第４閾値）、ＬＥＤ４１−１〜３には一定の電流を流し、ＬＥＤ４１−４に流す電流を音圧レベルに応じて制御する。また、音圧レベルの値が第５閾値以上である場合には、ＬＥＤ４１−１〜３には一定の電流を流す。この態様によれば、音圧測定装置１が発する光の明るさが、検知した音圧レベルに応じて滑らかに変化するので音圧レベルの違いをより具体的に知ることが可能となる。
【００３２】
スピーカＳＰから音を出力する際には、出力する音の周波数を低い周波数から高い周波数（または高い周波数から低い周波数）へ徐々に変えて出力するようにしてもよい。
また、発光の態様としては、発光量や発光数を変えるだけでなく、所定の閾値以下（あるいは以上）であったら点滅させる等の発光制御を行っても良い。点滅のパターンについてもオン／オフのデューティー比を異ならせた複数のパターンを用意し、音圧レベルに応じてそのパターンを選ぶようにしてもよい。
【００３３】
上述した実施形態においては音圧測定装置１を椅子に配置しているが、音圧測定装置１が配置される場所は椅子に限定されるものではない。音圧測定装置１を壁面や天井、床等、音圧を測定したい場所に複数配置するようにしてもよい。
【図面の簡単な説明】
【００３４】
【図１】本発明の実施形態に係る音圧測定装置の外観図である。
【図２】同音圧測定装置のブロック図である。
【図３】同音圧測定装置を配置したコンサートホールの平面図である。
【図４】本発明の変形例に係る音圧測定装置のブロック図である。
【図５】本発明の変形例を説明するための図である。
【図６】音圧レベルとＬＥＤ４１−１〜４に流す電流との関係を示した図である。
【符号の説明】
【００３５】
１・・・音圧測定装置、１０・・・筐体、２０・・・太陽電池、３０・・・マイクロホン、４１−１〜４，４２−１〜４，４３−１〜４・・・ＬＥＤ、５０・・・アンプ、６０−１〜３・・・帯域フィルタ、７０−１〜３・・・レベル検出回路、８０−１〜３・・・ＬＥＤ駆動回路、９０・・・二次電池、１００・・・制御部、１１０・・・通信部。
【図１】
2007142966.tif 000003
【図２】
2007142966.tif 000004
【図３】
2007142966.tif 000005
【図４】
2007142966.tif 000006
【図５】
2007142966.tif 000007
【図６】
2007142966.tif 000008